(57)【要約】【課題】  静的に管理されるユーザアカウントだけでなく、溜め置き文書の有無など、ユーザ操作により動的に変更される情報も加味したログイン画面を表示可能とする。【解決手段】  印刷装置は、ログインが許可されるユーザを登録するためのユーザテーブルを持ち、ユーザテーブルに登録したユーザの一覧を含むログイン画面を表示し、ログイン画面を介してユーザの選択を受け付けることでユーザのログインを許可するログイン制御手段と、外部装置より送信され格納部に格納された印刷データの印刷処理を、ログインが許可されたユーザによる印刷開始操作に基づき実行する印刷制御手段と、格納部に格納された印刷データの所有者を示す所有者情報を管理する管理手段と、を有し、ログイン制御手段は、前記管理手段から前記所有者情報を取得し、前記取得した所有者情報を加味してログイン画面の表示を行うことを特徴とする。【選択図】  図１１
2017019197.tif 000002
【特許請求の範囲】
【請求項１】
印刷装置であって、
ログインが許可されるユーザを登録するためのユーザテーブルを持ち、前記ユーザテーブルに登録したユーザの一覧を含むログイン画面を表示し、前記ログイン画面を介してユーザの選択を受け付けることで、当該ユーザの前記印刷装置へのログインを許可するログイン制御手段と、
外部装置より送信され格納部に格納された印刷データの印刷処理を、前記印刷装置へのログインが許可されたユーザによる印刷開始操作に基づき実行する印刷制御手段と、
前記格納部に格納された前記印刷データの所有者を示す所有者情報を管理する管理手段と、を有し、
前記ログイン制御手段は、前記管理手段から前記所有者情報を取得し、前記取得した所有者情報を加味して前記ログイン画面の表示を行うことを特徴とする印刷装置。
【請求項２】
前記管理手段は、前記所有者情報を、印刷データの受信日時が新しい順にソートした状態で管理しており、
前記ログイン制御手段は、前記管理手段から取得した前記所有者情報のソート順序に従って前記ユーザの一覧が前記ログイン画面に表示されるよう制御することを特徴とする請求項１に記載の印刷装置。
【請求項３】
前記ログイン制御手段は、前記ユーザテーブルに登録されているユーザの全てを一覧表示するか、前記管理手段から取得した前記所有者情報に示される印刷データの所有者のみを表示するかを切り替え可能とすることを特徴とする請求項１に記載の印刷装置。
【請求項４】
前記ログイン制御手段は、前記ユーザテーブルに登録されているユーザの一覧を表示する際に、前記管理手段により管理されている前記所有者情報に示される所有者を、他のユーザより優先して表示することを特徴とする請求項１に記載の印刷装置。
【請求項５】
前記ログイン画面に表示されるユーザの一覧は、前記ユーザテーブルに登録されているユーザのＩＤであることを特徴とする請求項１に記載の印刷装置。
【請求項６】
前記ログイン画面に表示されるユーザの一覧は、前記ユーザテーブルに登録されているユーザのアイコン画像であることを特徴とする請求項１に記載の印刷装置。
【請求項７】
印刷データの所有者情報を前記ユーザテーブルに登録することを許可するか否かを設定する設定手段を更に有し、
前記印刷制御手段は、前記設定手段により前記所有者情報の登録の許可が設定されている場合は、前記外部装置から印刷データを受信したときに、当該印刷データから抽出した所有者情報を前記ユーザテーブルに登録することを前記ログイン制御手段に指示することを特徴とする請求項１に記載の印刷装置。
【請求項８】
前記管理手段により管理されている所有者情報は、対応する印刷データが前記格納部から削除されるのに従って、削除されることを特徴とする請求項１に記載の印刷装置。
【請求項９】
前記印刷制御手段は、前記ログインが許可されたユーザに一致する所有者情報に対応する印刷データの一覧を操作部に表示するよう制御することを特徴とする請求項１に記載の印刷装置。
【請求項１０】
ログインが許可される複数のユーザが登録されているユーザテーブルを持つ印刷装置の制御方法であって、
前記ユーザテーブルに登録したユーザの一覧を操作部のログイン画面に表示し、前記ログイン画面を介してユーザの選択を受け付けることで当該ユーザの前記印刷装置へのログインを許可するログイン制御工程と、
外部装置より送信され格納部に格納された印刷データの印刷処理を、前記印刷装置へのログインが許可されたユーザによる印刷開始操作に基づき実行する印刷制御工程と、
前記印刷制御工程では、前記格納部に格納された前記印刷データの所有者を示す所有者情報を管理し、
前記ログイン制御工程では、前記管理されている所有者情報を取得し、前記取得した所有者情報を加味して前記ログイン画面の表示を行うことを特徴とする印刷装置の制御方法。
【請求項１１】
請求項１ないし９のいずれか１項に記載の印刷装置の各手段として機能させるためのプログラム。
【発明の詳細な説明】
【技術分野】
【０００１】
本発明は、外部装置から送信された印刷データを受信して印刷する印刷装置に関する。
【背景技術】
【０００２】
近年では、広大なオフィスに複合機（以下、ＭＦＰという）が導入されることに伴い、印刷物の放置による情報漏洩の問題が顕在化しつつある。ＭＦＰが多くの社員の印刷出力を行うようになったことにより、ある社員が出力した印刷物に記載されている機密情報が、意図しない他の社員に見られてしまうことがある。
【０００３】
そこで、ＭＦＰに溜め置き印刷と呼ばれる印刷方式を採り入れ、情報漏洩に対応することが行われている。溜め置き印刷とは、ＰＣ等の外部装置から送信された文書を受信時点では直ちに印刷を実行せず、一旦ＭＦＰ内部のハードディスクに該文書を溜め置き文書として蓄積するものである。ユーザは、ＰＣで文書の印刷を指示した後に、ＭＦＰが設置してある場所に赴き、ＭＦＰ上のタッチパネルから印刷開始操作を実行する。これにより始めて印刷が実行される。このような溜め置き印刷は、印刷物の取り違えや置き忘れによる情報漏洩を防ぐことができるだけでなく、無駄な印刷や放置された紙文書も減らすことができる。
【０００４】
しかしながら、多数のユーザの文書がＭＦＰ内部のハードディスクに蓄積されていると、ユーザは、所望の文書の印刷開始操作を行うために、他人が投入した文書も含む膨大な数のなかから自分が投入した文書を探し出す必要がある。そこで、溜め置かれている文書のなかから自分の文書を簡単に探し出すための方法として、特許文献１の仕組みが提案されている。特許文献１によれば、複合機の印刷データ制御部が、受信した文書からユーザ識別情報を抽出し、これを管理する。印刷データ制御部は、溜め置き印刷の機能が選択されると、ユーザ識別情報を複合機の操作部に一覧表示し、一覧から自分のユーザ識別情報を利用者に選択させる。そして選択されたユーザ識別情報に対応する文書のみを表示する。この仕組みにより、ユーザは、他人が投入した文書も含む膨大な数の文書から自分が投入した文書を探し出す必要性から解放される。
【０００５】
また別の技術として、ユーザ認証を前提とした、ＭＦＰへのログインを許可する形態が広く知られている。例えば、タッチパネルから入力されたユーザ名・パスワードを用いるキーボード認証方式や、非接触ＩＣカードリーダによりＩＣカードから取得したカード情報を用いたＩＣカード認証方式がある。何れの認証方式においても、利用者の何らかの操作に従って入力された認証情報により、その利用者が本人であるかを照合する。これらの形態においては、通常、利用者により入力された認証情報と照合するために必要なユーザテーブルを、ログインアプリケーション（又は認証アプリケーション）が備えている。
【先行技術文献】
【特許文献】
【０００６】
【特許文献１】特開２０１２−２５４６１８号公報
【発明の概要】
【発明が解決しようとする課題】
【０００７】
ところで、ユーザ認証を前提としないログイン方法として次のような方法が検討されている。それは、ログインアプリ（認証アプリ）が、ユーザテーブルに登録されているユーザ識別情報を、タッチパネルのログイン画面上に一覧表示する方法である。この方法によれば、利用者は、表示されたログイン画面上のユーザ識別情報を選択するだけで、簡単にログインが可能になる。このログイン方法は、パスワードやカード情報などの個人情報の入力なしにＭＦＰへのログインが許可される。すなわち厳格なユーザ認証は行われない。そのため、従来の認証方式に比べてセキュリティ面では劣る。しかし、簡単な操作でログインユーザを特定できる、というメリットもある。すなわち、ユーザ識別情報の選択操作のみによりユーザにログインさせ、ログインしたユーザに応じたＭＦＰのカスタマイズ機能（パーソナライズ機能ともいう）を提供する場合などに有効である。
【０００８】
ここで、上述したユーザ識別情報の選択によるログイン方法において、ログインアプリが、ログイン画面上にユーザ識別情報を一覧表示する際に、どのようにして表示するかについて考える。
【０００９】
例えば、ＰＣで文書の投入を指示した人（以下、「文書投入者」と呼ぶこととする）のユーザ識別情報を、他のユーザよりも優先してログイン画面上に表示させた方がよい場合がある。例えば、ログインアプリが膨大な数のユーザを管理しており、そのうち、文書投入者は数名だけであるとする。当該数名のユーザは、ＰＣから文書の投入を指示しているため、近いうちに文書の印刷開始操作を行うためにＭＦＰにログインする可能性が高い。そのようなユーザの識別情報のみをログイン画面上に表示させた方が、ユーザにとっては、自分のユーザ識別情報を選択しやすい。また、文書が受信された日時でソートして表示した方がより使い易い場合もある。
【００１０】
本発明は、上記の課題を解決するためになされたものであり、その目的はログイン画面におけるユーザ識別情報の表示を好適に行う方法を提供することである。
【課題を解決するための手段】
【００１１】
上記の目的を達成するために、本発明の印刷装置は、ログインが許可されるユーザを登録するためのユーザテーブルを持ち、前記ユーザテーブルに登録したユーザの一覧を含むログイン画面を表示し、前記ログイン画面を介してユーザの選択を受け付けることで、当該ユーザの前記印刷装置へのログインを許可するログイン制御手段と、外部装置より送信され格納部に格納された印刷データの印刷処理を、前記印刷装置へのログインが許可されたユーザによる印刷開始操作に基づき実行する印刷制御手段と、前記格納部に格納された前記印刷データの所有者を示す所有者情報を管理する管理手段と、を有し、前記ログイン制御手段は、前記管理手段から前記所有者情報を取得し、前記取得した所有者情報を加味して前記ログイン画面の表示を行うことを特徴とする。
【発明の効果】
【００１２】
本発明によれば、ログインアプリが、印刷アプリから取得した文書投入者情報に基づいてログイン画面におけるユーザ識別情報の表示を行うことが可能になる。
【図面の簡単な説明】
【００１３】
【図１】システム構成図
【図２】ＭＦＰのハードウエアの構成を示す図
【図３】ＭＦＰのソフトウェアの構成を示す図
【図４】ログイン画面を例示する図
【図５】ユーザアカウントを登録又は編集するための画面を例示する図
【図６】アプリ選択画面を例示する図
【図７】溜め置き文書の一覧画面を例示する図
【図８】強制留置きの設定画面を例示する図
【図９】ＭＦＰの動作を説明するフローチャート
【図１０】ＭＦＰの動作を説明するフローチャート
【図１１】ＭＦＰの動作を説明するフローチャート
【図１２】パーソナルプリントアプリケーションにより管理される、文書を保持するユーザのリストの例を示す図
【図１３】プリントアプリケーションにより管理される、溜め置き文書の書誌情報の例を示す図
【図１４】ログインアプリケーションにより管理される、ユーザテーブル内のユーザリストの例を示す図
【発明を実施するための形態】
【００１４】
以下、図面を参照して本発明の実施の形態を詳しく説明する。尚、以下の実施の形態は特許請求の範囲に係る発明を限定するものでなく、また実施の形態で説明されている特徴の組み合わせの全てが発明の解決手段に必須のものとは限らない。
【００１５】
（第１の実施形態）
本発明に係る第１の実施形態について説明する。
【００１６】
＜システム構成＞
図１を用いて、本実施形態を適用できるシステム構成を例示する。図１のシステムにおいて、複合機（ＭＦＰ）１０１、およびパーソナルコンピュータ（ＰＣ）１０２が、ローカルエリアネットワーク（ＬＡＮ）１００に通信可能に接続されている。ＰＣ１０２は、プリンタドライバによりページ記述言語で書かれた印刷データを生成し、その印刷データをＭＦＰ１０１に送信する機能を持つ。ＭＦＰ１０１は、ＰＣ１０２より送信された印刷データを受信して印刷する印刷機能を持つ。ＰＣ１０２は、外部装置の一例である。ＭＦＰ１０１は、印刷装置の一例である。
【００１７】
ＭＦＰ１０１は、印刷物の放置による情報漏洩を抑制するために、溜め置き印刷機能を有する。溜め置き印刷機能は、ＰＣ１０２から送信された印刷データを受信した時点では直ちに印刷せず、ＭＦＰ１０１内部のハードディスクに該文書を溜め置き文書として蓄積する機能である。ユーザは、ＰＣで文書の印刷を指示したのちに、ＭＦＰ１０１の設置してある場所に赴き、ＭＦＰ上の操作部から印刷開始操作を実行してはじめて印刷が実行される。溜め置き印刷機能は、印刷物の取り違えや置き忘れによる情報漏洩を防ぐことができるだけでなく、無駄な印刷や放置された紙文書も減らすことができる。
【００１８】
＜ハードウエア構成＞
図２は、ＭＦＰ１０１のハードウエア構成を示す図である。ＭＦＰ１０１は、その内部に、コントローラユニット２１６、プリンタ部２１２、スキャナ部２１４、操作部２０８、カードリーダ２１９を備える。コントローラユニット２１６は、ＬＡＮ１００や公衆回線（例えば、ＰＳＴＮまたはＩＳＤＮ等）と接続し、画像データやデバイス情報の入出力を行なう。
【００１９】
プリンタ部２１２は、ラスタイメージデータを用紙上に印刷する装置である。その方式は、感光体ドラムや感光体ベルトを用いた電子写真方式、微少ノズルアレイからインクを吐出して用紙上に直接画像を印字するインクジェット方式がある。プリンタ部２１２は、ＣＰＵ２０１からの指示によって印刷処理を開始する。プリンタ部２１２は、異なる用紙サイズまたは異なる用紙向きを選択できるように複数の給紙段を持つ。またプリンタ部２１２の追加機能として、仕上げ機能がある。仕上げ機構は、フィニッシャなどと呼ばれる。仕上げ機構には、プリントされた印刷物を部単位でソートしたり、ホチキスで留めたり、印刷物を折ったりする機構がある。
【００２０】
スキャナ部２１４は、紙原稿上の画像を照明し、ＣＣＤラインセンサで走査することで、ラスタイメージデータとして電気信号に変換する装置である。スキャナ部２１４は、ユーザによる操作部２０８からの読み取り開始指示により、ＣＰＵ２０１の制御の下、原稿用紙の読取動作を行う。
【００２１】
操作部２０８は、ＬＣＤを有し、ＬＣＤ上にタッチパネルシートが貼られており、操作画面を表示するとともに、表示されている画面内のキーが押下される（指等でタッチされる）と、その位置情報を操作部インタフェース２０７経由でＣＰＵ２０１に伝える。また操作部２０８は、各種の操作キー（ハードウェアキー）として例えばスタートキー、ストップキー、ＩＤキー、及びリセットキーを備える。
【００２２】
カードリーダ２１９は、非接触ＩＣカード（ＩＣカード）からカード情報を取得する装置である。カードリーダ２１９は、ＣＰＵ２０１の制御の下、ＩＣカード内に記憶されているカード情報を読み取り、読み取ったカード情報をコントローラユニット２１６内の外部インタフェース２１８を経由してＣＰＵ２０１に通知する。ＩＣカードには、例えば、ソニー社のフェリカ（ＦｅｌｉＣａ）（ＩＳＯ／ＩＥＣ  １５４０８準拠）（登録商標）や、ＮＸＰセミコンダクターズ社のＭＩＦＡＲＥ（ＩＳＯ／ＩＥＣ  １４４４３準拠）（登録商標）などがある。
【００２３】
コントローラユニット２１６は、ＭＦＰ１０１の制御を行う装置である。コントローラユニット２１６は、ＣＰＵ２０１、ＲＡＭ２０２、ＲＯＭ２０３、ＨＤＤ２０４、ネットワークインタフェース２０５、モデム２０６、操作部インタフェース２０７、イメージバスインタフェース２２０及び外部インタフェース２１８を有する。これらのユニットはシステムバス２０９に接続されている。また、コントローラユニット２１６は、ラスタイメージプロセッサ、プリンタインタフェース２１１、スキャナインタフェース２１３、画像処理部２１７を有する。これらのユニットは、画像データを高速で転送する画像バス２１５に接続されている。
【００２４】
ＣＰＵ２０１は、ＭＦＰ１０１を制御するプロセッサである。ＲＡＭ２０２は、ＣＰＵ２０１が動作するためのシステムネットワークメモリであり、プログラムを記録するためのプログラムメモリや、画像データを一時記録するための画像メモリでもある。ＲＯＭ２０３は、システムのブートプログラムや各種制御プログラムが格納されている。ＨＤＤ２０４は、ハードディスクドライブであり、システムを制御するための各種プログラム、画像データ、ユーザ認証・識別に必要なユーザ情報等を格納する。
【００２５】
操作部インタフェース２０７は、操作部２０８とのインタフェース部であり、表示するデータを操作部２０８に対して出力する。操作部インタフェース２０７は、操作部２０８からユーザが入力した情報をＣＰＵ２０１に伝える。
【００２６】
ネットワークインタフェース２０５は、ＬＡＮ１００に接続し、ＰＣ１０２や他の外部装置とのデータ入出力を行う。モデム２０６は、ＰＳＴＮ等の公衆回線に接続し、ＦＡＸの送受信等のデータの入出力を行う。
【００２７】
外部インタフェース２１８は、ＵＳＢ、ＩＥＥＥ１３９４、プリンタポート、ＲＳ−２３２Ｃ等の外部入力を受け付けるインタフェース部である。本実施形態では外部インタフェース２１８にカードリーダ２１９が接続される。ＣＰＵ２０１は、外部インタフェース２１８を介してカードリーダ２１９によるＩＣカードからの情報読み取りを制御し、該ＩＣカードから読み取られた情報を取得可能である。
【００２８】
イメージバスインタフェース２２０は、システムバス２０９と画像バス２１５と接続し、データ構造を変換するためのバスブリッジである。画像バス２１５は、ＰＣＩバスまたはＩＥＥＥ１３９４で構成される。ラスタイメージプロセッサ２１０は、印刷データをビットマップイメージに展開する。プリンタインタフェース２１１は、プリンタ部２１２とコントローラユニット２１６を接続し、画像データの同期系／非同期系の変換を行う。スキャナインタフェース２１３は、スキャナ部２１４とコントローラユニット２１６を接続し、画像データの同期系／非同期系の変換を行う。画像処理部２１７は、入力画像データに対し補正、加工、編集を行うなど、プリント出力画像データに対して、プリンタの補正、解像度変換等を行う。また画像処理部２１７は、画像データの回転や、多値画像データに対してはＪＰＥＧ、２値画像データはＪＢＩＧ、ＭＭＲ、ＭＨ等の圧縮伸張処理を行う。
【００２９】
以上のような構成によって、ＭＦＰ１０１は、ＰＣ１０２よりＬＡＮ１００を介して送信された印刷データを溜め置き文書として蓄積し、ユーザからの印刷開始指示に応じて印刷出力することができる。
【００３０】
＜ソフトウェア構成＞
図３は、ＭＦＰ１０１のソフトウェア構成について示したブロック図である。ＭＦＰ１０１は、コピーアプリ３０１、送信アプリ３０２、パーソナルプリントアプリ３１０を有する。
【００３１】
コピーアプリ３０１は、スキャナ部２１４やプリンタ部２１２を制御し、コピーを実行するためのアプリケーションである。送信アプリ３０２は、スキャナ部２１４やネットワークインタフェース２０５やモデム２０６を制御し、スキャンした原稿の画像を電子メールやファクシミリなどで外部に送信するためのアプリケーションである。パーソナルプリントアプリ３１０は、ＰＣ１０２から送信された印刷データをＨＤＤ２０４に溜め置き文書として蓄積したり、ログインしたユーザの溜め置き文書の一覧を表示したり、一覧から選択された文書の印刷処理を実行するアプリケーションである。ログインアプリ３２０は、ユーザ認証やログインに関する処理を実行するためのアプリケーションである。
【００３２】
本実施形態では、印刷制御手段の例であるパーソナルプリントアプリ３１０と、ログイン制御手段の例であるログインアプリ３２０が特に重要であるため、その２つのアプリについて詳細に説明する。
【００３３】
まずパーソナルプリントアプリ３１０について説明する。パーソナルプリントアプリ３１０は、印刷データ格納部３１２と、書誌情報格納部３１３と、文書保持ユーザ管理部３１４を有する。印刷データ格納部３１２は、ＰＣ１０２から送信された文書をＨＤＤ２０４に格納する制御を行う。書誌情報格納部３１３は、ＰＣ１０２から送信された印刷データに記載されている印刷設定やオーナ名（所有者情報）などを抽出し、それを図１３に示す書誌情報としてＨＤＤ２０４に格納する制御を行う部分である。文書保持ユーザ管理部３１４は、ＰＣから送られる印刷データから抽出したオーナ名（所有者情報）を、溜め置き文書を保持するユーザを識別する情報（以下、文書保持ユーザ情報という）として管理する。文書保持ユーザ情報は、図１２に示すように、印刷データの受信日時が新しい順にソートした状態で管理される。また文書保持ユーザは、印刷データが印刷後に削除されたりユーザの指示で削除されたりすると、それに連動して削除される。
【００３４】
なお、ここで特に重要なのは、文書保持ユーザ情報が、ログインアプリ３２０ではなく、パーソナルプリントアプリ３１０側で管理されている点である。文書保持ユーザ情報は、文書の投入や削除により頻繁に更新される動的な情報である。このような動的な情報をログインアプリ３２０側で管理させようとすると、頻繁にパーソナルプリントアプリ３１０がログインアプリに更新通知を行う必要が生じる。そこで、本実施形態では、文書保持ユーザ情報をパーソナルプリントアプリ３１０が管理する構成を採用している。
【００３５】
次にログインアプリ３２０について説明する。ログインアプリ３２０は、認証方式設定部３２１とユーザ管理部３２２とログイン画面表示部３２４を有する。認証方式設定部３２１は、認証方式を設定する。本実施形態では、認証方式として、３つ説明する。１つは、ＩＣカードを利用したカード認証方式である。もう１つは、操作部２０８のキーボードを介してユーザに入力されるユーザ名及びパスワードを利用したキーボード認証方式である。そして、アイコン選択画面に表示されるユーザアイコンの選択によりログインを許可するアイコン選択方式である。それ以外にも、静脈などの人間の身体的特徴を使って個人を識別する生体認証方式などがあるがここでは割愛する。なお本実施形態で特に重要であるのはアイコン選択方式である。
【００３６】
アイコン選択方式とは、ログインアプリ３２０が、ユーザテーブルに登録されているユーザ名及びそのユーザ名に対応するアイコン画像を、操作部２０８のログイン画面に一覧表示する方法である。この方法によれば、ユーザは、ログイン画面上の自身のアイコンを選択するだけで、簡単にログインが可能になる。このログイン方法は、パスワードやカード情報などの個人情報の入力なしにＭＦＰ１０１へのログインが許可される。すなわち厳格なユーザ認証は行われない。そのため、上述したカード認証方式やキーボード認証方式に比べてセキュリティ面では劣る。しかし、簡単な操作でログインユーザを特定できる、というメリットもある。すなわち、ユーザ名の選択操作のみによりユーザにログインさせ、ログインしたユーザに応じたＭＦＰのカスタマイズ機能（パーソナライズ機能ともいう）を提供する場合などに有効である。
【００３７】
また認証方式設定部３２１は、「ＭＦＰの利用時にユーザ認証を要求するモード」、又は「アプリ選択時にユーザ認証を要求する（機能別認証モード）」のいずれでＭＦＰ１０１を動作させるかを設定することもできる。
【００３８】
ユーザ管理部３２２は、ＭＦＰ１０１へのログインが許可されるユーザのユーザ識別情報を管理する。ユーザ管理部３２２は、図１４のユーザテーブルに登録されているユーザアカウントを管理する。すなわち、ユーザ名１４０１、パスワード１４０２、カードＩＤ１４０３、メールアドレス１４０４、グループＩＤ１４０５、アイコン画像１４０６、最終ログイン日時１４０７、登録日時１４０８などのユーザアカウントを管理する。
【００３９】
本実施形態において、ユーザアカウントは、専任のシステム管理者によりあらかじめ登録しておくこともできるが、各使用者がユーザアカウントを登録することもできる。その方法として図４（ａ）に示したような登録方法が用意されている。
【００４０】
図４（ａ）は、ユーザアカウントの登録方法を設定するためのＵＩ画面である。図４（ａ）画面は、ＣＰＵ２０１により、操作部２０８に表示される。図４（ａ）の設定画面４００に示されるように、ユーザの登録方法として、「ジョブ投入時に自動で登録」する第１の登録方法４０１と、「設定メニューから手動で登録」する第２の登録方法４０２がある。
【００４１】
第１の登録方法４０１は、印刷データを受信した時に、当該印刷データに含まれるオーナ名（所有者情報）を図１４のユーザテーブルに登録する方法である。第１の登録方法４０１が有効の場合、印刷データが受信されると、その印刷データの所有者が自動的にユーザアカウントとして追加される。ただし、当該印刷データがＭＦＰ１０１から削除されても、当該ユーザアカウントは削除されない。
【００４２】
第２の登録方法４０２は、各ユーザが、ログイン画面４１０上のユーザ登録ボタンから手動でユーザ識別情報を登録する方法である。
【００４３】
これら２つの登録方法の各々の許可又は禁止は、専任のシステム管理者により図４（ａ）を介して設定される。
【００４４】
ログイン画面表示部３２４は、ログイン画面の表示制御を実行する。例えば認証方式設定部３２１にてカード認証方式が設定されている場合、例えば「ＩＣカードをカードリーダにかざしてください」といったメッセージを含む認証画面を表示する。キーボード認証方式が設定されている場合、例えば、「ユーザ名とパスワードを入力してください」といった認証画面を表示する。また、認証方式としてアイコン選択方式が設定されている場合には、後述する図４（ｂ）又は（ｃ）のようなログイン画面を操作部２０８に表示する。
【００４５】
以上で、ＭＦＰ１０１のソフトウェア構成について説明した。本実施形態では、パーソナルプリントアプリ３１０が文書保持ユーザ情報を管理し、ログインアプリ３２０がユーザアカウントを管理する。そして、ログインアプリ３２０は、ログイン画面を表示するとき、パーソナルプリントアプリ３１０から文書保持ユーザ情報を取得する。そして、取得した文書保持ユーザ情報に基づき、文書保持ユーザのみを表示したり、文書保持ユーザを優先して表示したり、印刷データの受信日時の新しい順又は古い順にソートして表示したりすることができる。
【００４６】
＜ユーザアイコン選択画面の例＞
図４（ｂ）を用いて、アイコン選択方式が設定されている場合においてログイン画面表示部３２４により操作部２０８に表示されるＵＩ画面について説明する。ログイン画面４１０は、所定の条件に合致する場合に表示される。具体的には、認証方式設定部３２１にて、「ＭＦＰの利用時にユーザ認証を要求するモード」が設定されている場合は、ＭＦＰ１０１の起動時やログアウト直後に表示される。一方、「アプリ選択時に認証を要求する（機能別認証モード）」が設定されている場合は、後述するアプリ選択画面６００でアプリケーションが選択された時に表示される。つまり、ログイン画面４１０がどのタイミングで表示されるかは、認証方式設定部３２１の設定による。
【００４７】
ユーザアイコン４１１〜４１６は、ＭＦＰ１０１へのログインが許可されるユーザを識別するためのアイコンである。ユーザは、表示されたユーザアイコン４１１〜４１６の何れかを選択するだけで、簡単にログインすることが可能になる。本実施形態では、１画面に表示できるユーザのアイコンは６個までである。１画面に全てのユーザに対応するアイコンが表示できない場合にはフリック操作により画面遷移し、次のユーザアイコンを表示させる。
【００４８】
ユーザ登録ボタン４１５は、ユーザアカウントを新規に登録するためのボタンである。ユーザ登録ボタン４１５は、図４（ａ）の第２の登録方法４０２が有効に設定されている場合のみ表示される。ユーザ登録ボタン４１５が押下されると、図５（ａ）のユーザ登録画面５００に遷移し、ユーザ名５０１、パスワード５０２、カードＩＤ５０３、メールアドレス５０４、アイコン５０５を登録することができる。この登録作業が完了すると、ユーザアカウントが新規に図１４のユーザテーブルに追加される。ユーザ名５０１は、ログインが許可されるユーザを識別するための識別情報の一例である。なお、ユーザ名５０１は必須項目であり、パスワード５０２、カードＩＤ５０３、メールアドレス５０４、及びアイコン５０５は任意項目である。
【００４９】
ユーザ編集ボタン４１６は、登録済のユーザアカウントを編集するためのボタンである。ユーザ編集ボタン４１６が押下されると、図５（ｂ）のユーザ編集画面５１０に遷移し、ユーザ名５０１以外の項目、すなわち、パスワード５０２、カードＩＤ５０３、メールアドレス５０４、アイコン５０５を追加したり編集したりすることができる。
【００５０】
ユーザフィルタ指定ボタン４１７は、ユーザアイコンをフィルタして表示させるためのボタンである。ユーザフィルタ指定ボタン４１７で「全て表示」が選択されると、図１４のユーザテーブルに登録されている全てのユーザ名をアイコン画像と共に表示する。一方、ユーザフィルタ指定ボタン４１７で「プリント」が選択されると、図４（ｃ）のように、ユーザテーブルに登録されるユーザのうち、文書保持ユーザに対応するアイコン画像のみが表示される。本実施形態では、ユーザテーブルにＵｓｅｒ１〜６が６名のユーザが登録されており、そのうち文書保持ユーザは、Ｕｓｅｒ１、Ｕｓｅｒ２、Ｕｓｅｒ３、Ｕｓｅｒ５のみである。したがってこれらの文書保持ユーザのみがフィルタされて表示される。さらに図４（ｃ）では、Ｕｓｅｒ１、Ｕｓｅｒ２、Ｕｓｅｒ３、Ｕｓｅｒ５が受信日時順にソートされて表示される。
【００５１】
ソートボタン４１８は、ユーザアイコンをソートして表示させるためのボタンである。ソートボタン４１８で「名称順」が選択されると、ユーザテーブルに登録されているユーザ名を名称順でソートし表示する。
【００５２】
＜アプリ選択画面の例＞
図６は、アプリ選択画面である。アプリ選択画面６００は、ログインアプリ３２０の認証方式設定部３２１の設定によって、表示されるタイミングが異なる。認証方式設定部３２１にて、「ＭＦＰの利用時にユーザ認証を要求するモード」が設定されている場合は、ログイン画面４１０でユーザアイコン４１１が選択された場合に表示される。一方、「機能別認証モード」が設定されている場合は、ＭＦＰ１０１の起動時やログアウト直後に表示される。つまり、アプリ選択画面６００がどのタイミングで表示されるかは、認証方式設定部３２１の設定による。
【００５３】
アプリ選択画面６００には、ボタン６０１、６０２、６０３が表示される。ボタン６０１、６０２、６０３は、それぞれ、コピーアプリ３０１、パーソナルプリントアプリ３１０、送信アプリ３０２に対応するボタンである。
【００５４】
＜文書一覧画面の例＞
アプリ選択画面６００を介してパーソナルプリントアプリ３１０に対応するボタン６０２が押下されると、図７に示す溜め置き文書の一覧画面８００が表示される。
【００５５】
図７において、溜め置き文書の一覧画面８００は、自分の文書を簡単に探し出すために、ログインユーザの文書のみが表示される。溜め置き文書一覧８０１には、ログインユーザであるＵｓｅｒ１に紐づいて書誌情報格納部３１３が保管する溜め置き文書の印刷設定や印刷データの受信時刻等が表示される。ユーザは、溜め置き文書の印刷を指示する際、溜め置き文書一覧８０１に表示されている溜め置き文書一覧から任意の文書を選び、印刷開始ボタン８０４を押下する。また、ユーザは、溜め置き文書の削除を指示する際、任意の溜め置き文書を選んだ後、削除ボタン８０３を押下して、任意の溜め置き文書を印刷データ管理部３１１から削除することもできる。溜め置き文書の選択では一つ一つの溜め置き文書を押下して選択することもできるし、全選択ボタン８０２を押下し、全溜め置き文書をまとめて選択し、所望の操作を行うことも可能である。
【００５６】
＜起動時の動作＞
図９は、起動時に実行する、溜め置き文書を保持するユーザのリストを取得するコールバック関数を登録するフローチャートである。図９のフローチャートに示す各ステップを実行するプログラムは、ＲＯＭ２０３又はＨＤＤ２０４に記憶されている。また、各ステップは、ＣＰＵ２０１が実行する。
【００５７】
Ｓ９０１では、まず、パーソナルプリントアプリ３１０は、起動処理のなかで、ＭＦＰ１０１の設定を取得し、次の２つの設定が有効であるか否かを判断する。
【００５８】
１つ目の設定は、図４（ａ）で説明した「ジョブ投入時にユーザアカウントを自動で登録」するか否かの設定である。２つ目の設定は、図８の「投入されたジョブを強制的に留め置く」か否かの設定である。なおこれらの設定は、専任のシステム管理者により予め設定される。
【００５９】
Ｓ９０１で、「ジョブ投入時にユーザアカウントを自動で登録」する設定がＯＮであると判断し（Ｓ９０１でＹＥＳ）、かつ、Ｓ９０２で、「投入されたジョブを強制的に留め置く」の設定がＯＮである（Ｓ９０２でＹＥＳ）場合、Ｓ９０３に進む。一方、何れかの設定がＯＦＦであるときは、パーソナルプリントアプリ３１０は図９の処理を終了する。
【００６０】
Ｓ９０３で、パーソナルプリントアプリ３１０は、ログインアプリ３２０に対し、ユーザリスト取得用のコールバック関数を登録する。Ｓ９０４で、ログインアプリ３２０は、パーソナルプリントアプリ３１０からのユーザリスト取得用のコールバック関数の登録要求を受け付け、当該コールバック関数を登録する。コールバック関数は、アイコン選択方式でログインを実施するときにログインアプリ３２０によって呼び出される。
＜印刷データ受信時の動作＞
図１０は、ＰＣ１０２からＬＡＮ１００を経由して送信されたデータを蓄積又は印刷する際の動作を説明するためのフローチャートである。図９のフローチャートに示すＳ１００１とＳ１００２はＰＣ１０２によって実行される。またＳ１００３以降のステップは、ＭＦＰ１０１によって実行される。より具体的には、Ｓ１００３以降のステップを実行するプログラムは、ＭＦＰ１０１のＲＯＭ２０３又はＨＤＤ２０４に記憶されており、ＣＰＵ２０１により実行される。
【００６１】
Ｓ１００１では、ＰＣ１０２のプリンタドライバは、各種アプリケーション上でユーザによって印刷メニューを表示した際に呼びだされ、印刷設定画面を表示する。当該プリンタドライバは、印刷設定画面でユーザの印刷指示を受けた場合、アプリケーションのデータをＭＦＰ１０１で印刷可能なデータに変換し、印刷データを生成する。Ｓ１００２では、プリンタドライバは、Ｓ１００１で生成した印刷データをＭＦＰ１０１へ送信する。
【００６２】
Ｓ１００３では、ＭＦＰ１０１上で動作するパーソナルプリントアプリ３１０は、Ｓ１００１でＰＣ１０２のプリンタドライバから送信された印刷データを受信する。Ｓ１００４では、パーソナルプリントアプリ３１０は、ＭＦＰ１０１の設定を取得し、図８の「投入されたジョブを強制的に留め置く」か否かを示す設定を確認する。この設定は、専任のシステム管理者により予め設定されるものである。当該設定が無効である場合はＳ１００５に進み、パーソナルプリントアプリ３１０は印刷制御を実行する。これにより、受信した印刷データはラスタイメージプロセッサ２１０によりビットマップイメージのデータに展開され、プリンタ部２１２に出力される。プリンタ部２１２は、出力されたデータに基づき用紙上に印刷する。
【００６３】
「投入されたジョブを強制的に留め置く」が有効である場合は、Ｓ１００６に進む。Ｓ１００６では、パーソナルプリントアプリ３１０は、Ｓ１００３で受信した印刷データからオーナ名（所有者情報）、印刷データの文書名、印刷データの受信日時、ユーザが設定した印刷設定情報などを含む書誌情報を取得する。Ｓ１００７では、パーソナルプリントアプリ３１０は、書誌情報が正常に抽出された印刷データを、溜め置き文書としてＭＦＰ１０１のＨＤＤ２０４に保存する。なお、ここで保存する印刷データは、ページ記述言語として保存してもよいし、ラスタイメージプロセッサ２１０によりビットマップイメージに展開されたものであってもよい。
【００６４】
Ｓ１００８では、パーソナルプリントアプリ３１０は、Ｓ１００４で取得した書誌情報を、印刷データのヘッダから取得した印刷データのジョブオーナ名に紐付けて、ＭＦＰ１０１のＨＤＤ２０４に保存する。Ｓ１００９では、パーソナルプリントアプリ３１０は、Ｓ１００６で取得したジョブオーナ名を、図１２に示す文書保持ユーザのリストの先頭に追加する。この時、既に文書保持ユーザリストに同じジョブオーナ名のユーザが存在する場合には、当該ユーザを、文書保持ユーザリストの先頭に移動する。Ｓ１００９の処理を行うことにより、ジョブ保持ユーザリストが常に受信日時順でソートされた状態で管理されることになる。
【００６５】
Ｓ１０１０では、パーソナルプリントアプリ３１０は、ＭＦＰ１０１の設定を取得し、図４（ａ）で示した「ジョブ投入時に自動で登録」する設定が有効か否かを確認する。この設定が有効であると判断した場合、Ｓ１０１１に進み、パーソナルプリントアプリ３１０は、ログインアプリ３２０に対し、Ｓ１００６で取得したジョブオーナ名を、ログインアプリ３２０が管理しているユーザテーブルに登録することを指示する。
【００６６】
Ｓ１０１２で、ログインアプリ３２０は、パーソナルプリントアプリ３１０から登録の
指示を受け付けた場合、Ｓ１０１３に進む。Ｓ１０１３で、ログインアプリ３２０は、受け取ったジョブオーナ名に一致するユーザ名が既にユーザテーブルに登録済みであるかどうかを判断する。登録済みである場合（Ｓ１０１３でＹＥＳ）は本処理を終了し、未登録である場合（Ｓ１０１３でＮＯ）は、受け取ったジョブオーナ名を新規にユーザテーブルのユーザ名１４０１の項目に追加する。
【００６７】
以上で、ＭＦＰ１０１の印刷データ受信時の動作について説明した。
【００６８】
＜ログイン画面表示時の動作＞
図１１は、ログインアプリ３２０が操作部２０８にログイン画面４１０を表示する際の動作を示すフローチャートである。図１１のフローチャートに示す各ステップを実行するプログラムは、ＲＯＭ２０３又はＨＤＤ２０４に記憶されている。また、各ステップは、ＣＰＵ２０１が実行する。
【００６９】
Ｓ１１００で、ログインアプリ３２０は、ログイン画面の表示要求を受け付ける。次にＳ１１０１で、ログインアプリ３２０は、受け付けた表示要求が、アプリ選択画面６００でパーソナルプリントアプリ３１０が選択された後に受け付けられた要求であるか否かを判断する。例えばＭＦＰ１０１が通常のモードで動作中は、ログイン画面はＭＦＰ１０１の起動時や他のユーザがログアウトした直後に表示される。したがってこのようなケースでは、Ｓ１１０１では「ＮＯ」と判断される。一方、例えば、ＭＦＰ１０１のモードによっては、アプリケーション選択時にログイン画面を表示する場合がある（上述した「機能別認証モード」）。ＭＦＰ１０１が機能別認証モードで動作しており、かつ、アプリ選択画面６００画面でパーソナルプリントアプリ３１０が選択された場合は、Ｓ１１０１でＹＥＳと判断される。Ｓ１１０１でＹＥＳと判断する場合とは、換言すると、ユーザがＭＦＰ１０１を利用する目的が、事前に溜め置いた文書の印刷又は削除などの操作をする事である可能性が高い。そこで、ログイン画面を表示する際に、文書保持ユーザのみを表示したり、文書保持ユーザを優先して表示したりすることが好ましい。そこで、本実施形態では、ログインアプリ３２０が文書保持ユーザのリストをパーソナルプリントアプリ３１０から取得するため、Ｓ１１０３へと処理を進める。なお、機能別認証モードで動作中であっても、アプリ選択画面６００でパーソナルプリントアプリ３１０以外のアプリ（コピーアプリ３０１や送信アプリ３０２）が選択された場合は、Ｓ１１０１でＮＯと判断され、処理をＳ１１０２に進める。
【００７０】
Ｓ１１０２では、ログインアプリ３２０は、ジョブ保持ユーザの表示要求をするべきか否かを確認する。ジョブ保持ユーザの表示要求をする場合とは、例えば、フィルタの指定として「プリント」が指定されている場合等が該当する。Ｓ１１０２でＹＥＳと判断された場合はＳ１１０３に処理を進める。
【００７１】
Ｓ１１０３では、ログインアプリ３２０は、ユーザリスト取得用のコールバック関数がパーソナルプリントアプリ３１０から登録されているか否かを確認する。ユーザリスト取得用のコールバック関数がパーソナルプリントから登録されていると判定された場合（Ｓ１１０３でＹＥＳ）、処理をＳ１１０４へ進め、ユーザリスト取得用のコールバック関数が登録されていないと判定された場合、処理をＳ１１１１へ進める。
【００７２】
Ｓ１１０４では、ログインアプリ３２０は、Ｓ９０４で登録されたコールバック関数を利用し、文書保持ユーザのリストの取得要求を送信する。Ｓ１１０５では、パーソナルプリントアプリ３１０は、ログインアプリ３２０からＳ１１０４で送信されたユーザリスト取得要求を受け付ける。Ｓ１１０６では、パーソナルプリントアプリ３１０は、図１２に示す文書保持ユーザのリストを、ログインアプリ３２０に送信する。なお、パーソナルプリントアプリ３１０により送信される文書保持ユーザのリストは、印刷データの受信順にソートされている。
【００７３】
Ｓ１１０７では、ログインアプリ３２０は、パーソナルプリントアプリ３１０が送信した、印刷データの受信順にソートされた文書保持ユーザのリストを取得する。
【００７４】
Ｓ１１０８では、ログインアプリ３２０は、Ｓ１１０７でパーソナルプリントアプリ３１０から取得した文書保持ユーザのリストの上から順番に１つずつ文書保持ユーザを抽出する。そして、該文書保持ユーザが、ユーザ管理部３２２内のユーザテーブルに登録されているか否かを判断する（Ｓ１１０９）。
【００７５】
文書保持ユーザがユーザテーブルに登録されていない場合とは、例えば、次のような場合である。すなわち、パーソナルプリントアプリ３１０によりＨＤＤ２０４に溜め置き文書として格納されているが、当該溜め置き文書の所有者のユーザアカウントがログインアプリ３２０により削除されている場合である。
【００７６】
Ｓ１１０９で、ログインアプリ３２０により、Ｓ１００８の処理の結果、文書保持ユーザがユーザテーブルに登録されていると判断された場合、Ｓ１１１０へ処理を進め、当該文書保持ユーザをログイン画面生成用のユーザリストに追加する（Ｓ１１１０）。ログイン画面生成用のユーザリストは、ログイン画面に表示すべきユーザのリストである。このユーザリストにユーザが追加されると、後述するＳ１１１８の処理で、ユーザのアイコン画像やユーザ名が表示されることとなる。
【００７７】
Ｓ１１０９で、ログインアプリ３２０により、Ｓ１１０８の処理の結果、文書保持ユーザがユーザテーブルに登録されていないと判断した場合、ログイン画面生成用のユーザリストへの追加処理を行うことなく、Ｓ１１１１に処理を進める。
【００７８】
Ｓ１１１０では、ログインアプリ３２０は、Ｓ１１０７で取得したジョブ保持ユーザのリストに記載されている全てのジョブ保持ユーザについて確認したかどうかを判断する。確認していなければ、Ｓ１１０８に戻り、次のジョブ保持ユーザについてＳ１１０９〜Ｓ１１１０の処理を実行する。一方、全てのジョブ保持ユーザについての確認が終了した場合、Ｓ１１１６に進む。
【００７９】
Ｓ１１１６では、ログインアプリ３２０は、ログイン画面生成用のユーザリストに記載されているレコードが０件か否かを判定し、０件と判定された場合には、Ｓ１１１８へ処理を進め、１件以上存在すると判定された場合には、Ｓ１１１７へ処理を進める。
【００８０】
Ｓ１１１７では、ログインアプリ３２０は、ユーザテーブル（図１４）から各ユーザに紐付くユーザ識別情報を取得する。取得するユーザ識別情報は、図１４に示すユーザ名１４０１やアイコン画像１４０６が該当する。
【００８１】
Ｓ１１１８では、ログインアプリ３２０は、ログイン画面を操作部２０８に表示する。なお、もしＳ１１１６で、ログイン画面生成用のユーザリストに記載されているレコードが０件と判定された場合には、ユーザアイコン画像なしのログイン画面を表示する。レコードが１件以上存在すると判定された場合には、Ｓ１１１７で取得したユーザに対応するアイコン画像とユーザ名を付加したログイン画面（図４（ｂ）又は（ｃ）を参照）を生成し、操作部２０８に表示する。
【００８２】
Ｓ１１１２〜Ｓ１１１５は、ログイン画面に表示するユーザアイコンについてフィルタ又はソートの要求があった場合の処理である。これらの要求は、例えば、図４（ｂ）又は図４（ｃ）のログイン画面４１０のユーザフィルタ指定ボタン４１７又はソートボタン４１８を介してユーザにより指示される。
【００８３】
Ｓ１１１２において、ログインアプリ３２０は、要求された内容がフィルタ要求かソート要求かを判断する。フィルタ要求であると判断した場合、Ｓ１１１３に進み、ユーザテーブルに登録されているユーザを特定のフィルタ条件でフィルタし、フィルタ後のユーザをログイン画面生成用のユーザリストに追加する（Ｓ１１１５）。特定の条件とは、例えば、所定時間内にログインしたユーザであるとか、所定の文字列を含むユーザ名を持つユーザであるとか、様々な条件が考えられる。
【００８４】
Ｓ１１１４では、ログインアプリ３２０は、ユーザテーブルに登録されているユーザを特定のソート条件でソートして、ソート後のユーザをログイン画面用のユーザリストに追加する（Ｓ１１１５）。特定のソート条件とは、例えば、名称順や最終ログイン日時順など様々な条件が考えられる。さらには、ジョブ保持ユーザをジョブ保持ユーザ以外のユーザより優先して表示することなども考えられる。ジョブ保持ユーザに基づきソート処理を実行する場合には、パーソナルプリントアプリ３１０からジョブ保持ユーザリストを取得し、当該リストに基づいてソート処理を実行する。
【００８５】
以上のように、上記実施形態における印刷装置は、アイコン選択方式におけるログイン画面を表示する際に、パーソナルプリントアプリから文書保持ユーザの情報を取得する。そして当該印刷装置は、取得した文書保持ユーザの情報を加味したログイン画面の表示を行う。すなわち、ユーザテーブルに登録されているユーザのうち文書保持ユーザのみを表示させたり、文書保持ユーザを優先表示させたり、文書保持ユーザ情報のソート順序に従ってユーザの一覧を前記ログイン画面に表示させたりすることができる。
【００８６】
なお、図１１では示していないが、表示されたログイン画面で、ユーザアイコンを押下することで、該当するユーザでＭＦＰ１０１にログインする。そして、前記ユーザがログインしている状態で、文書一覧画面を表示すると、前記ユーザの文書のみが一覧表示されるので、自身の文書を簡単に探し出すことができる。
【００８７】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８８】
１００  ＬＡＮ
１０１  ＭＦＰ
１０２  ＰＣ
２０１  ＣＰＵ
２０２  ＲＡＭ
２０３  ＲＯＭ
２０４  ＨＤＤ
２０５  ネットワークＩ／Ｆ
２０７  操作部Ｉ／Ｆ
２０８  操作部
２１１  プリンタ部Ｉ／Ｆ
２１２  プリンタ部
２１９  カードリーダ
３０１  コピーアプリ
３０２  送信アプリ
３１０  パーソナルプリントアプリ
３２０  ログインアプリ
【図１】
2017019197.tif 000003
【図２】
2017019197.tif 000004
【図３】
2017019197.tif 000005
【図４】
2017019197.tif 000006
【図５】
2017019197.tif 000007
【図６】
2017019197.tif 000008
【図７】
2017019197.tif 000009
【図８】
2017019197.tif 000010
【図９】
2017019197.tif 000011
【図１０】
2017019197.tif 000012
【図１１】
2017019197.tif 000013
【図１２】
2017019197.tif 000014
【図１３】
2017019197.tif 000015
【図１４】
2017019197.tif 000016